(57)【要約】 【課題】  ベッドのフレーム部に対してカバーを設ける際に、カバー表面のしわの発生を抑制するベッド装置を提供する。【解決手段】  ベッド装置１は、第２フレーム２３及び第１フレーム２１、２２とで形成されたフレーム部２０と、フレーム部２０を覆うように形成されるカバー３０と、一方の第１フレーム２１が、両端に形成され、貼付部２１ｃを有する薄肉のくぼみ部２１ａと、くぼみ部２１ａの間に設けられた厚肉の凸部２１ｂとを備える。カバー３０は、フレーム部２０を覆う上面部３１及び側面部３２、３３と、一方の第１フレーム２１を覆う折り曲げ部３１ａと、側面部３２から延在し、貼付部２１ｃと重合する被貼付部３２ｂを有するひだ部３２ａとを備え、ひだ部３２ａを凸部２１ｂ方向へ張着する構成となっている。【選択図】  図１
2011245086.tif 000002
【特許請求の範囲】
【請求項１】
一対の第１フレーム及び一対の第２フレームを有するフレーム部と、前記フレーム部の上部及び側部を覆うカバーとを備えたベッド装置において、
一方の前記第１フレームには、両端に形成された薄肉のくぼみ部と、２つの前記くぼみ部の間に設けられた厚肉の凸部と、前記くぼみ部の表面の少なくとも一部に設けられた貼付部とを備え、
前記カバーは、前記フレーム部の上部を覆う上面部と、前記第２フレーム及び他方の前記第１フレームを覆う側面部と、一方の前記第１フレームの表面を覆う折り曲げ部と、前記側面部から延在し、前記貼付部と重合する被貼付部を有するひだ部とを備え、
他方の前記第１フレームの表面で覆う前記側面部と前記第２フレームを覆う前記側面部は連続しており、前記ひだ部を前記貼付部に張着することを特徴とするベッド装置。
【請求項２】
一対の第１フレーム及び一対の第２フレームを有するフレーム部と、前記フレーム部の上部及び側部を覆うカバーとを備えたベッド装置において、
前記第１フレームには、両端に形成された薄肉のくぼみ部と、２つの前記くぼみ部の間に設けられた厚肉の凸部と、前記くぼみ部の表面の少なくとも一部に設けられた貼付部とを備え、
前記カバーが、前記フレーム部の上部を覆う上面部と、前記第２フレームを覆う側面部と、前記第１フレームの表面を覆う折り曲げ部と、前記側面部から延在し、前記貼付部と重合する被貼付部を有するひだ部とを備え、
前記ひだ部を前記凸部方向へ前記貼付部及び前記被貼付部によって張着することを特徴とするベッド装置。
【請求項３】
前記第１フレームは、前記凸部に複数の締結穴を有し、前記締結穴に対応する貫通孔を有するヘッドボードを、前記締結穴と前記貫通孔とを締結部材によって締結し、組み付けることを特徴とする請求項１または請求項２に記載のベッド装置。
【発明の詳細な説明】
【技術分野】
【０００１】
本発明は、ベッドのフレーム部に対してカバーを覆うベッド装置に関するものである。
【背景技術】
【０００２】
従来のベッド装置について、特許文献１に示される構成が開示されている。
【０００３】
特許文献１のベッド装置は、フレーム部の上部に設けられたマットに対して、カバーを設けており、このカバーは、マットを覆う側面部分であるマットの角に対して四隅を縫い合わせ、頭部側にカバーのずれを防止のためにマットの下へ挟み込む部位を設けている。さらに、側面のフレーム部はカバーに設けられたフリルによって覆われる構造となっている。
【先行技術文献】
【特許文献】
【０００４】
【特許文献１】特開２００３−１９０６２号公報
【発明の概要】
【発明が解決しようとする課題】
【０００５】
上記したベッド装置は、カバーをマットの上部より被せる構造となっており、マットに対する引っ張りの微妙な調整を行うことができず、マット表面のしわを無くすことは十分でない。このカバーを、フレーム部を覆うようにしてもフレーム部の表面にしわが発生するおそれがある。
【０００６】
従って、本発明は、ベッドのフレーム部に対してカバーを覆う際に、カバー表面のしわ等の発生を抑制することが可能なベッド装置を提供する。
【課題を解決するための手段】
【０００７】
上記の課題を解決するために講じた手段は、一対の第１フレーム及び一対の第２フレームを有するフレーム部と、フレーム部の上部及び側部を覆うカバーとを備えたベッド装置において、一方の第１フレームには、両端に形成されたくぼみ部と、くぼみ部の間に形成された凸部と、くぼみ部の表面の少なくとも一部に設けられた貼付部とを備え、カバーは、前記フレーム部の上部を覆う上面部と、第２フレーム及び他方の第１フレームを覆う側面部と、一方の第１フレームの表面を覆う折り曲げ部と、側面部から延在し、貼付部と重合する被貼付部を有するひだ部とを備え、他方の第１フレームの表面で覆う側面部と第２フレームを覆う側面部は連続しており、前記ひだ部を貼付部に張着する構成となっている。
【０００８】
また、一対の第１フレーム及び一対の第２フレームを有するフレーム部と、フレーム部の上部及び側部を覆うカバーとを備えたベッド装置において、第１フレームには、両端に形成されたくぼみ部と、くぼみ部の間に形成された凸部と、くぼみ部の表面の少なくとも一部に設けられた貼付部とを備え、カバーが、フレーム部の上部を覆う上面部と、第２フレームを覆う側面部と、第１フレームの表面を覆う折り曲げ部と、側面部から延在し、貼付部と重合する被貼付部を有するひだ部とを備え、ひだ部を凸部方向へ貼付部及び被貼付部によって張着する構造となっている。
【０００９】
また、第１フレームは、凸部に複数の締結穴を有し、締結穴に対応する貫通孔を有するヘッドボードを、締結穴と貫通孔とを締結部材によって締結し、組み付ける。
【発明の効果】
【００１０】
本発明によれば、ベッド装置は、カバーの側面部に延在するひだ部を凸部へ向かって引っ張ることで、カバーの表面にできるしわを抑制できる。さらに、ひだ部の被貼付部とくぼみ部の貼付部とが重合することで引っ張りを保持することができ、引っ張りによるカバー表面のしわの発生を抑制した状態に保つことが可能となっている。また、ベッド装置は、ひだ部とくぼみ部の着脱が容易であるため、ひだ部の引っ張り具合を調整できる。
【００１１】
また、このベッド装置は、カバーをフレーム部に張り込む際に、カバーの両端のひだ部をフットフレーム側へ両側から引っ張ることが可能であるため、カバー表面のしわの発生を抑制することが可能である。
【００１２】
また、このベッド装置は、フレーム部側の締結穴とヘッドボードの貫通孔を締結部材で締結させることで、ヘッドボードの装着が可能となるため、ヘッドボードの取り付けの有無を使用者が選択することができる。
【図面の簡単な説明】
【００１３】
【図１】実施例１に係わるベッド装置のカバーの取り付けの構成図。
【図２】図１に係わるベッド装置のカバーの取り付け方法の斜視図。
【図３】ベッド装置のカバーの取り付け後の第１形態を示した斜視図。
【図４】ベッド装置のカバーの取り付け後の第２形態を示した斜視図。
【図５】図４のベッド装置にヘッドボードを取り付ける場合の斜視図。
【図６】実施例２に係わるベッド装置のカバーの取り付けの構成図。
【図７】図６に係わるベッド装置のカバーの取り付け方法の斜視図。
【発明を実施するための形態】
【００１４】
（実施例１）
本発明の実施例１に係わるベッド装置１の全体の構成について、図１を用いて説明する。図１はベッド装置１のカバー３０の取り付けの構成図を示している。
【００１５】
図１より、このベッド装置１は、骨格を成すフレーム部２０に対してカバー３０を取り付ける構造となっている。フレーム部２０は、フットフレームまたはヘッドフレームである第１フレーム２１、２２と図１に示す左右に設けられるサイドフレームである一対の第２フレーム２３とによって形成されている。第２フレーム２３は、第１フレーム２１、２２に比べて長くなっている。一方の第１フレーム２１（例えば、ヘッドフレーム）は、第２フレーム２３が取り付けられている両端に薄肉のくぼみ部２１ａが設けられ、そのくぼみ部２１ａの間に厚肉の凸部２１ｂを設けている。くぼみ部２１ａには、水平方向に長手の面ファスナー（貼付部）２１ｃが水平方向に２段で取り付けられている。また、凸部２１ｂには、数箇所（例えば、４隅の４ヶ所）にヘッドボード４０を取り付ける締結穴２１ｄが設けられている。
【００１６】
次に、カバー３０は、フレーム部２０の上部２４を覆う上面部３１と、フレーム部２０の側部２３を覆う側面部３２及び他方の第１フレーム２２（例えば、フットフレーム）を覆う側面部３３が設けられ、他方の第１フレーム２２を覆う側面部３３の両端と第２フレーム２３側の側面部３２の一端が繋がっている。さらに、第２フレーム２３側の側面部３２の他端は、水平方向に延在し、ひだ部３２ａを左右に形成している。このひだ部３２ａには、図１に示す垂直方向に面ファスナー２１ｃに対応する長手の面ファスナー（被貼付部）３２ｂが取り付けられている。また、カバー３０の上面部３１から一方の第１フレーム２１側へ延在している折り曲げ部３１ａは、ひだ部３２ａと繋がっていないために上面部３１に折り曲げられている。
【００１７】
次に本発明の実施例１に係わるベッド装置１のカバー３０の取り付け方法について図２から図５を用いて説明する。図２は、ベッド装置１のカバー３０の取り付け方法の斜視図を示し、図３、図４は、ベッド装置１のカバー３０の取り付け後の形態をそれぞれ示している。図５は、図４のベッド装置１にヘッドボード４０を取り付ける場合の説明図を示している。
【００１８】
図２より、ベッド装置１は、フレーム部２０に上方よりカバー３０を被せて、凸部２１ｂを有している第１フレーム２１の方向へ左右のひだ部３２ａをそれぞれ引っ張る。この際、カバー３０は、側面部３２と側面部３３が繋がれているため、引っ張り方向へ移動が側面部３３と第１フレーム２２によって係止されることで、カバー３０の上面部３１及び側面部３２、３３のしわが伸びる。さらに、左右のひだ部３２ａは、第１フレーム２１のくぼみ部２１ａから凸部２１ｂ側へ水平方向に引っ張りながら第１フレーム２１の角にて折り曲げてくぼみ部２１ａと重合させる。このとき、くぼみ部２１ａの面ファスナー２１ｃとひだ部３２ａの面ファスナー３２ｂとを張着させることで、ひだ部３２ａをくぼみ部２１ａに重合する構造となっている。このため、面ファスナー２１ｃ、３２ｂの着脱が容易である。さらに、面ファスナー２１ｃ、３２ｂの着脱が容易であることから、このベッド装置１は引っ張りによるカバー３０の引っ張り具合を調整することが可能となる。
【００１９】
図３より、ベッド装置１の第１形態は、ひだ部３２ａを係止した後に、折り曲げ部３１ａを第１フレーム２１側に折り曲げてフレーム部２０を覆うことで、ヘッドボード４０を取り付けないベッド装置１として使用することが可能となる。
【００２０】
図４、図５より、ベッド装置１の第２形態は、ひだ部３２ａをくぼみ部２１ａに重合させた後に折り曲げ部３１ａを上面部３１側に折り曲げることで、第１フレーム２１の凸部２１ｂに設けられている締結穴２１ｄを使用することが可能となる。この締結穴２１ｄには、締結ナット２１ｅが設けられており、ベッド装置１はヘッドボード４０の貫通孔４１を介して締結部材５０を締結穴２１ｄに締結させることでベッドボード４０の組付けを可能としている。
【００２１】
（実施例２）
本発明の実施例２に係わるベッド装置１の全体の構成について、図６を用いて説明する。図６はベッド装置１のカバー３０の取り付けの構成図を示している。
【００２２】
図６より、このベッド装置１は、骨格を成すフレーム部２０に対してカバー３０を取り付ける構造となっている。フレーム部２０は、一対の第１フレーム２１と一対の第２フレーム２３によって形成されている。第２フレーム２３は、第１フレーム２１に比べて長くなっている。両第１フレーム２１は、第２フレーム２３が取り付けられている両端に薄肉のくぼみ部２１ａが設けられ、そのくぼみ部２１ａとの間に厚肉の凸部２１ｂが設けられている。このくぼみ部２１ａには、水平方向に長手の面ファスナー（貼付部）２１ｃが水平方向に２段で取り付けられている。また、第１フレーム２１の少なくとも一方の凸部２１ｂには、数箇所（例えば、４隅の４ヶ所）にヘッドボード４０を取り付ける締結穴２１ｄが設けられている。
【００２３】
次に、カバー３０は、フレーム部２０の上部２４を覆う上面部３１と、フレーム部２０の側部２３を覆う側面部３２と、カバー３０の上面部３１から第１フレーム側へ延在している折り曲げ部３１ａとで形成されている。第２フレーム２３側の側面部３２の両端は、水平方向に延在し、ひだ部３２ａを左右に形成している。このひだ部３２ａには、図６に示す垂直方向に面ファスナー２１ｃに対応する長手の面ファスナー（被貼付部）３２ｂが取り付けられている。また、折り曲げ部３１ａは、ひだ部３２ａと繋がっていないために折り曲げ自在な状態を保持している。
【００２４】
次に本発明の実施例２に係わるベッド装置１のカバー３０の取り付け方法について図７を用いて説明する。図７は、ベッド装置１のカバーの取り付け方法の説明図を示している。
【００２５】
図７より、ベッド装置１は、フレーム部２０に上方よりカバー３０を被せて、カバー３０の側面部３２の一端であるひだ部３２ａを一方の第１フレーム２１方向へ引っ張る。そして、ひだ部３２ａは、第１フレーム２１のくぼみ部２１ａから凸部２１ｂ側へ水平方向に引っ張りながら第１フレーム２１の角にて折り曲げられてくぼみ部２１ａと重合させられる。この時、くぼみ部２１ａの面ファスナー２１ｃとひだ部３２ａの面ファスナー３２ｂとで張着させて、ひだ部３２ａをくぼみ部２１ａに重合する。次に、他方の第１フレーム２１方向へカバー３０の側面部３２の他端であるひだ部３２ａを引っ張ると、カバー３０は引っ張り方向への移動がカバー３０の側面部３２の一端であるひだ部３２ａとくぼみ部２１ａとで係止されるため、カバー３０の上面部３１及び側面部３２のしわが伸びる。さらに、ひだ部３２ａを第１フレーム２１のくぼみ部２１ａから凸部２１ｂ側へ引っ張りながら折り曲げて、くぼみ部２１ａの面ファスナー２１ｃとひだ部３２ａの面ファスナー３２ｂとを張着させて、ひだ部３２ａをくぼみ部２１ａに重合する構造となっている。また、ひだ部３２ａを同時に引っ張ることでカバー３０をフレーム部２０に取り付けても良い。
【００２６】
ベッドの使用形態は、図３から図５に示したよう第１形態及び第２形態で使用可能である。
【００２７】
以上、実施例の構成について説明したが、本発明はこれに限定されるものではなく、以下に示す態様に変更してもよい。
【００２８】
・カバー３０の側面部３２の下端に紐等を通し、カバー３０をフレーム部２０に張り込む際に、その紐を引っ張ることで引っ張り具合を調整してしわを低減する構成としても良い。
【００２９】
・第１フレーム２１が、第２フレーム２３よりも長くて良い。
【００３０】
・ひだ部３２ａをくぼみ部２１ａへ重合させた際に、くぼみ部２１ａ側の折り曲げ部分に垂直方向に延びる貼付部を設け、この貼付部に着接する被貼付部を折り曲げ部３１ａに設けることで、ベッド装置１は、カバー３０の上面部３１を引っ張ることができるため、しわをより抑制することが可能となる。
【００３１】
・くぼみ部２１ａの面ファスナー２１ｃは、水平方向に長手であり、水平方向に２段で取り付けられているが、ひだ部３２ａの面ファスナー３２ｂが十分に取り付けられれば、この限りではない。例えば、くぼみ部２１ａの表面の全体が面ファスナー２１ｃでも良い。
【符号の説明】
【００３２】
１  ベッド装置
２０  フレーム部
２１、２２  第１フレーム
２１ａ  くぼみ部
２１ｂ  凸部
２１ｃ  貼付部（面ファスナー）
２３  第２フレーム
３０  カバー
３１  上面部
３１ａ  折り曲げ部
３２、３３  側面部
３２ａ  ひだ部
３２ｂ  被貼付部（面ファスナー）
【図１】
2011245086.tif 000003
【図２】
2011245086.tif 000004
【図３】
2011245086.tif 000005
【図４】
2011245086.tif 000006
【図５】
2011245086.tif 000007
【図６】
2011245086.tif 000008
【図７】
2011245086.tif 000009